(57)【要約】      （修正有）【課題】固定機能を効果的に向上させた、相当の程度の拡開効果を奏する拡開釘構造を提供する。【解決手段】第１の釘体１０と第２の釘体１００との上端には、拡大状態の打ち込み用端部１１が設けられており、第１の釘体１０と第２の釘体１００との下端には、錐形の釘尖が形成されている。第１の釘体１０の外周の上段の内側には、軸方向に平行する切断面１３が形成されており、第２の釘体１００は、半分に割れた金属棒からなる。第２の釘体１００は、切断面１３において第１の釘体１０と接合し、また、第１の釘体１０は、切断面１３より下へ広がる傾斜面１４を有し、突出部１５が形成されており、突出部１５には、複数のらせん状溝が形成されており、切断面１３に対しての第２の釘体１００の外側の面には、複数のノッチ１６が水平に形成されている。【選択図】図２
0003164614.tif 000002
【実用新案登録請求の範囲】
【請求項１】
第１の釘体と、第２の釘体と、ワッシャとを含み、前記第１の釘体と前記第２の釘体との上端には、拡大状態の打ち込み用端部が設けられており、前記第１の釘体と前記第２の釘体との下端には、錐形の釘尖が形成されている拡開釘構造において、
前記第１の釘体の外周の上段の内側には、軸方向に平行する切断面が形成されており、前記第２の釘体は、半分に割れた金属棒からなり、前記第２の釘体は、前記切断面において前記第１の釘体と接合し、前記第１の釘体は、前記切断面より下へ広がる傾斜面を有し、突出部が形成されており、
前記ワッシャは、前記第１の釘体と前記第２の釘体との接合された後の外周において、前記第１の釘体と前記第２の釘体との間を予備的に拘束するように設けられていることを特徴とする拡開釘構造。
【請求項２】
前記突出部には複数のらせん状溝が形成されていることを特徴とする請求項１に記載の拡開釘構造。
【請求項３】
前記切断面に対しての前記第２の釘体の外側の面には、複数のノッチが水平に形成されていることを特徴とする請求項１に記載の拡開釘構造。
【請求項４】
前記第１の釘体と前記第２の釘体とは、アルミニウム、亜鉛、銅、鉄、白鋳鉄等の金属材料からなることを特徴とする請求項１に記載の拡開釘構造。
【考案の詳細な説明】
【技術分野】
【０００１】
本考案は、拡開釘構造に関し、特に、打ち込み後に拡張可能であり、固定機能を有し、かつ負荷による引き抜けを防止できる拡開釘構造に関する。
【背景技術】
【０００２】
物体を壁に固定した後、落下を防止するために、通常、膨張式アンカーを用いて固定させる。しかし、一般的な膨張式アンカーは、組み合わせ部材が多く製造工程が複雑であるため、製造コストが高くなり、販売価格が相対的に高価になる。このため、膨張式アンカーを使用することは経済的であるとは言えない。また、膨張式アンカーをもろい材質（石膏ボード類）または軽い材質（発泡体、防火材）などの軽量鋼仕切板の材質類に使用するとき、膨張式アンカーが確実に固定できないなど問題を起こす場合があるため、膨張式アンカーは用途が制限されている。
【０００３】
当業者は、上記を鑑み、拡開釘を開発した。その構成形態を図６に示す。拡開釘は、２本の釘体３０、３００及びワッシャ４０を含む。釘体３０、３００は、半分に割れた金属棒からなり、２本の釘体３０、３００を向き合わせれば完全な釘となる。２本の釘体３０、３００の上端には、それぞれ拡大状態の打ち込み用端部３１が形成され、下端には成為錐形の釘尖３２が形成されている。釘体３００の内側の平面には、加工技術（例えば、はんだ付け）により、凸部３３が形成されている。使用時において、接合釘体３０、３００の外周にワッシャ４０を設け、２本の釘体３０、３００を順番に打ち込む時、凸部３３がもう１本の釘体３０を押しながら、釘体３００が外側へ曲げられることにより、打ち込む後に、拡開し、固定する機能を果たす。
【０００４】
しかし、上述した従来の拡開釘は、以下の問題点を有する。すなわち、単一の凸部３３のみによる拡開効果は、十分ではなく、かつ、２本の釘体３０、３００が打ち込まれる時には、片側のみが拡開するため、固定する力が不十分である。
【０００５】
以上のように、当業界において、上述した従来の拡開釘の欠点について、改良するための研究が必要となっていた。本考案者は、上記の課題に鑑み、長年の経験に基づき、設計したり、試作品を作成したり、鋭意に検討した結果、本考案を完成させるに至った。
【考案の概要】
【考案が解決しようとする課題】
【０００６】
本考案は、従来技術における拡開釘の片側のみが拡開するという問題点を鑑みて、固定機能を効果的に向上させた、相当の程度の拡開効果を奏する拡開釘構造を提供することを目的とする。
【課題を解決するための手段】
【０００７】
前記目的を達成するために、本考案は、第１の釘体と、第２の釘体と、ワッシャとを含む拡開釘構造において、第１の釘体及び第２の釘体の上端には、拡大状態の打ち込み用端部が設けられており、第１の釘体及び第２の釘体の下端には、錐形の釘尖が形成されており、第１の釘体の外周の上段の内側には、軸方向に平行する切断面が形成されており、第２の釘体は、半分に割れた金属棒からなり、第２の釘体は、切断面において第１の釘体と接合し、第１の釘体は、切断面より下へ広がる傾斜面を有し、突出部が形成されており、突出部には複数のらせん状溝が形成されており、切断面に対しての第２の釘体の外側の面には、複数のノッチが水平に形成されており、該当複数のノッチにより、第１の釘体及び第２の釘体は、外力により拡開し変形しやすくなる特性を利用する拡開釘構造を提供する。
【考案の効果】
【０００８】
本考案は、第１の釘体及び第２の釘体が両側へ拡開可能であるため、固定する機能が効果的に向上し、また、傾斜面が漸次の押し支えを提供可能であるため、相当の程度の拡開効果を奏する拡開釘構造を提供する。
【図面の簡単な説明】
【０００９】
【図１】本考案における拡開釘構造の立体組合図である。
【図２】本考案における拡開釘構造の立体分解図である。
【図３】本考案における拡開釘の打ち込み動作を示す図示である。
【図４】本考案における拡開釘の打ち込み動作を示す他の図示である。
【図５】本考案の拡開釘が完全に打ち込まれた時の第１及び第２の釘体の拡開状態を示す図示である。
【図６】従来の拡開釘の立体分解図である。
【考案を実施するための形態】
【００１０】
本考案の目的、特徴及び効果の理解に供するため、以下、図面を参照しながら、本考案の実施の形態を詳しく説明する。
【００１１】
先ず、図１及び図２に示すように、本考案は、第１の釘体１０、第２の釘体１００及びワッシャ２０を含む。第１の釘体１０及び第２の釘体１００の上端には、拡大状態の打ち込み用端部１１が設けられており、下端には錐形の釘尖１２が形成されている。第１の釘体１０の外周の上段の内側には、軸方向に並行する切断面１３が形成されており、第２の釘体１００は、半分に割れた金属棒からなっている。第２の釘体１００は、切断面１３において第１の釘体１０と接合し、第１の釘体１０は、切断面１３より下へ広がる傾斜面１４を有し、突出部１５が設けられており、突出部１５には複数のらせん状溝が形成されている。切断面１３に対しての第２の釘体１００の外側には、複数のノッチ１６が水平に形成されている。上記複数のノッチ１６により、第１の釘体１０及び第２の釘体１００は、外力により拡開し変形しやすくなる特性を有する。
【００１２】
続いて、図３から図５に示すように、本考案は、使用時において、第１及び第２の釘体１０、１００の接合された後の外周にワッシャ２０を設けることにより、第１及び第２の釘体１０、１００を予備的に拘束できる。先に第１の釘体１０を打ち込み、続いて第２の釘体１００を切断面１３に接しながら打ち込むと、第２の釘体１００は、傾斜面１４によって外側へ案内され、第１の釘体１０と相互に押し合うようになる。このとき、第１の釘体１０及び第２の釘体１００の上段には、ワッシャ２０により拘束されているため、第１及び第２の釘体１０、１００の下段にのみ押し合いが発生する。このため、第１及び第２の釘体１０、１００は、押し合いながら、徐々に外側へ曲がり、変形する。さらに、突出部１５による広範囲の押し支え、及び第１及び第２の釘体１０、１００の外側に複数のノッチ１６の設置により、第１及び第２の釘体１０、１００は両方ともに外側へ拡開可能となる。このように両側への拡開を利用することにより、より確実に固定することができる。
【００１３】
また、第１の釘体１０及び第２の釘体１００は、アルミニウム、亜鉛、銅、鉄、白鋳鉄等の金属材料により製造される。アルミニウムまたは亜鉛の拡開釘は、組み合わせ式の軽量鋼仕切り板、石膏ボード、発泡体、防火材、遮音壁、軽量でもろい材質に好適に使用可能である。銅質の拡開釘は、インテリアの木製家具または裝飾の仕上げに好適に使用可能である。また、鉄質の拡開釘は、組み合わせ式の薄い鉄類の仕切り壁の仕上げまたは装飾に好適に使用可能である。さらに、白鋳鉄材質の拡開釘は、エクステリアの裝飾の仕上げに好適に使用可能である。以上のように、材質の差異を利用することにより、拡開釘の応用範囲が極めて狭い範囲に制限されず、より全面的に応用することが可能となる。
【００１４】
上述は、ただ本考案の最適な実施の形態であり、本考案の範囲を制限するものではない。本考案の開示内容に基づいて均等な変更または修飾を行ったものは、本考案の技術内容の範囲内に属する。
【産業上の利用可能性】
【００１５】
本考案は、上述した実施の形態の構成によれば、以下の効果を奏することができる。すなわち、第１の釘体１０及び第２の釘体１００は、両側へ拡開可能であるため、固定する機能が効果的に向上し、また、傾斜面１４が漸次の押し支えを提供可能であるため、相当の程度の拡開効果を奏する。
【符号の説明】
【００１６】
１０：第１の釘体
１００：第２の釘体
１１：打ち込み用端部
１２：釘尖
１３：切断面
１４：傾斜面
１５：突出部
１６：ノッチ
２０：ワッシャ
【図１】
0003164614.tif 000003
【図２】
0003164614.tif 000004
【図３】
0003164614.tif 000005
【図４】
0003164614.tif 000006
【図５】
0003164614.tif 000007
【図６】
0003164614.tif 000008